【手続補正書】
【提出日】平成21年8月10日(2009.8.10)
【手続補正１】
【補正対象書類名】特許請求の範囲
【補正対象項目名】全文
【補正方法】変更
【補正の内容】
【特許請求の範囲】
【請求項１】
複数の静止画像のそれぞれに特殊効果をつけて、該それぞれの静止画像を時系列的に変化させて、順番にスライドショー表示する画像表示方法であって、
前記スライドショー表示する対象の静止画像から特徴領域を検出する領域検出工程と、
前記領域検出工程で複数の特徴領域が検出された静止画像について、一方の特徴領域を含む所定サイズの矩形領域を切り出して表示した状態から、他方の特徴領域を含む前記所定サイズの矩形領域を切り出して表示した状態に変化する特殊効果であって、切り出す矩形領域を前記一方の特徴領域と前記他方の特徴領域とを通る直線上を連続的に移動させる特殊効果を用いるように決定する決定工程と、
前記決定工程で決定された特殊効果を用いて前記複数の特徴領域が検出された静止画像を表示する表示工程とを備え、
前記決定工程では、前記一方の特徴領域と前記他方の特徴領域との間の距離に基づいて、前記切り出す矩形領域のサイズを決定することを特徴とする画像表示方法。
【請求項２】
前記決定工程は、前記一方の特徴領域と前記他方の特徴領域との間の距離が所定距離以上の場合に、前記切り出す領域のサイズを大きくすることを特徴とする請求項１に記載の画像表示方法。
【請求項３】
複数の静止画像のそれぞれに特殊効果をつけて、該それぞれの静止画像を時系列的に変化させて、順番にスライドショー表示する画像表示方法であって、
前記スライドショー表示する対象の静止画像から特徴領域を検出する領域検出工程と、
前記領域検出工程で複数の特徴領域が検出された静止画像について、一方の特徴領域を含む所定サイズの矩形領域を切り出して表示した状態から、他方の特徴領域を含む前記所定サイズの矩形領域を切り出して表示した状態に変化する特殊効果であって、切り出す矩形領域を前記一方の特徴領域と前記他方の特徴領域とを通る直線上を連続的に移動させる特殊効果を用いるように決定する決定工程と、
前記決定工程で決定された特殊効果を用いて前記静止画像を表示する表示工程とを備え、
前記表示工程では、前記切り出す矩形領域を前記一方の特徴領域と前記他方の特徴領域とを通る直線上を連続的に移動させる速度を、前記一方の特徴領域および前記他方の特徴領域近傍では遅く、それ以外では速くなるように制御することを特徴とする画像表示方法。
【請求項４】
複数の静止画像のそれぞれに特殊効果をつけて、該それぞれの静止画像を時系列的に変化させて、順番にスライドショー表示する画像表示方法であって、
前記スライドショー表示する対象の静止画像から特徴領域を検出する領域検出工程と、
前記領域検出工程で複数の特徴領域が検出された静止画像について、一方の特徴領域を含む所定サイズの矩形領域を切り出して表示した状態から、他方の特徴領域を含む前記所定サイズの矩形領域を切り出して表示した状態に変化する特殊効果であって、切り出す矩形領域を前記一方の特徴領域と前記他方の特徴領域とを通る直線上を連続的に移動させる特殊効果を用いるように決定する決定工程と、
前記決定工程で決定された特殊効果を用いて前記静止画像を表示する表示工程とを備え、
前記表示工程では、前記切り出す矩形領域を前記一方の特徴領域と前記他方の特徴領域とを通る直線上を連続的に移動させる際、前記切り出す矩形領域のサイズを、前記一方の特徴領域および前記他方の特徴領域から遠くなるほど大きくなるように制御することを特徴とする画像表示方法。
【請求項５】
前記領域検出工程では、前記静止画像に含まれる人物の顔領域を前記特徴領域として検出することを特徴とする請求項１乃至４のいずれか１項に記載の画像表示方法。
【請求項６】
前記領域検出工程は、前記静止画像のファイルに付加された撮影情報を用いて、当該静止画像に含まれる被写体位置又は焦点位置を含む領域を前記特徴領域として検出することを特徴とする請求項１乃至４のいずれか１項に記載の画像表示方法。
【請求項７】
請求項１乃至６のいずれか１項に記載の画像表示方法をコンピュータに実行させるためのプログラム。
【請求項８】
請求項７に記載のプログラムを格納したことを特徴とするコンピュータ読み取り可能な記録媒体。
【請求項９】
複数の静止画像のそれぞれに特殊効果をつけて、該それぞれの静止画像を時系列的に変化させて、順番にスライドショー表示する画像表示装置であって、
前記スライドショー表示する対象の静止画像から特徴領域を検出する領域検出手段と、
前記領域検出手段により複数の特徴領域が検出された静止画像について、一方の特徴領域を含む所定サイズの矩形領域を切り出して表示した状態から、他方の特徴領域を含む前記所定サイズの矩形領域を切り出して表示した状態に変化する特殊効果であって、切り出す矩形領域を前記一方の特徴領域と前記他方の特徴領域とを通る直線上を連続的に移動させる特殊効果を用いるように決定する決定手段と、
前記決定手段により決定された特殊効果を用いて前記複数の特徴領域が検出された静止画像を表示する表示手段とを備え、
前記決定手段は、前記一方の特徴領域と前記他方の特徴領域との間の距離に基づいて、前記切り出す矩形領域のサイズを決定することを特徴とする画像表示装置。
【請求項１０】
複数の静止画像のそれぞれに特殊効果をつけて、該それぞれの静止画像を時系列的に変化させて、順番にスライドショー表示する画像表示装置であって、
前記スライドショー表示する対象の静止画像から特徴領域を検出する領域検出手段と、
前記領域検出手段により複数の特徴領域が検出された静止画像について、一方の特徴領域を含む所定サイズの矩形領域を切り出して表示した状態から、他方の特徴領域を含む前記所定サイズの矩形領域を切り出して表示した状態に変化する特殊効果であって、切り出す矩形領域を前記一方の特徴領域と前記他方の特徴領域とを通る直線上を連続的に移動させる特殊効果を用いるように決定する決定手段と、
前記決定手段により決定された特殊効果を用いて前記静止画像を表示する表示手段とを備え、
前記表示手段は、前記切り出す矩形領域を前記一方の特徴領域と前記他方の特徴領域とを通る直線上を連続的に移動させる速度を、前記一方の特徴領域および前記他方の特徴領域近傍では遅く、それ以外では速くなるように制御することを特徴とする画像表示装置。
【請求項１１】
複数の静止画像のそれぞれに特殊効果をつけて、該それぞれの静止画像を時系列的に変化させて、順番にスライドショー表示する画像表示装置であって、
前記スライドショー表示する対象の静止画像から特徴領域を検出する領域検出手段と、
前記領域検出手段により複数の特徴領域が検出された静止画像について、一方の特徴領域を含む所定サイズの矩形領域を切り出して表示した状態から、他方の特徴領域を含む前記所定サイズの矩形領域を切り出して表示した状態に変化する特殊効果であって、切り出す矩形領域を前記一方の特徴領域と前記他方の特徴領域とを通る直線上を連続的に移動させる特殊効果を用いるように決定する決定手段と、
前記決定手段により決定された特殊効果を用いて前記静止画像を表示する表示手段とを備え、
前記表示手段は、前記切り出す矩形領域を前記一方の特徴領域と前記他方の特徴領域とを通る直線上を連続的に移動させる際、前記切り出す矩形領域のサイズを、前記一方の特徴領域および前記他方の特徴領域から遠くなるほど大きくなるように制御することを特徴とする画像表示装置。
【手続補正２】
【補正対象書類名】明細書
【補正対象項目名】００１０
【補正方法】変更
【補正の内容】
【００１０】
上記目的を達成するために、本発明の画像表示方法は、複数の静止画像のそれぞれに特殊効果をつけて、該それぞれの静止画像を時系列的に変化させて、順番にスライドショー表示する画像表示方法であって、前記スライドショー表示する対象の静止画像から特徴領域を検出する領域検出工程と、前記領域検出工程で複数の特徴領域が検出された静止画像について、一方の特徴領域を含む所定サイズの矩形領域を切り出して表示した状態から、他方の特徴領域を含む前記所定サイズの矩形領域を切り出して表示した状態に変化する特殊効果であって、切り出す矩形領域を前記一方の特徴領域と前記他方の特徴領域とを通る直線上を連続的に移動させる特殊効果を用いるように決定する決定工程と、前記決定工程で決定された特殊効果を用いて前記複数の特徴領域が検出された静止画像を表示する表示工程とを備え、前記決定工程では、前記一方の特徴領域と前記他方の特徴領域との間の距離に基づいて、前記切り出す矩形領域のサイズを決定する。
また、本発明の画像表示方法は、複数の静止画像のそれぞれに特殊効果をつけて、該それぞれの静止画像を時系列的に変化させて、順番にスライドショー表示する画像表示方法であって、前記スライドショー表示する対象の静止画像から特徴領域を検出する領域検出工程と、前記領域検出工程で複数の特徴領域が検出された静止画像について、一方の特徴領域を含む所定サイズの矩形領域を切り出して表示した状態から、他方の特徴領域を含む前記所定サイズの矩形領域を切り出して表示した状態に変化する特殊効果であって、切り出す矩形領域を前記一方の特徴領域と前記他方の特徴領域とを通る直線上を連続的に移動させる特殊効果を用いるように決定する決定工程と、前記決定工程で決定された特殊効果を用いて前記静止画像を表示する表示工程とを備え、前記表示工程では、前記切り出す矩形領域を前記一方の特徴領域と前記他方の特徴領域とを通る直線上を連続的に移動させる速度を、前記一方の特徴領域および前記他方の特徴領域近傍では遅く、それ以外では速くなるように制御する。
また、本発明の画像表示方法は、複数の静止画像のそれぞれに特殊効果をつけて、該それぞれの静止画像を時系列的に変化させて、順番にスライドショー表示する画像表示方法であって、前記スライドショー表示する対象の静止画像から特徴領域を検出する領域検出工程と、前記領域検出工程で複数の特徴領域が検出された静止画像について、一方の特徴領域を含む所定サイズの矩形領域を切り出して表示した状態から、他方の特徴領域を含む前記所定サイズの矩形領域を切り出して表示した状態に変化する特殊効果であって、切り出す矩形領域を前記一方の特徴領域と前記他方の特徴領域とを通る直線上を連続的に移動させる特殊効果を用いるように決定する決定工程と、前記決定工程で決定された特殊効果を用いて前記静止画像を表示する表示工程とを備え、前記表示工程では、前記切り出す矩形領域を前記一方の特徴領域と前記他方の特徴領域とを通る直線上を連続的に移動させる際、前記切り出す矩形領域のサイズを、前記一方の特徴領域および前記他方の特徴領域から遠くなるほど大きくなるように制御する。
【手続補正３】
【補正対象書類名】明細書
【補正対象項目名】００１２
【補正方法】変更
【補正の内容】
【００１２】
また、本発明の画像表示装置は、複数の静止画像のそれぞれに特殊効果をつけて、該それぞれの静止画像を時系列的に変化させて、順番にスライドショー表示する画像表示装置であって、前記スライドショー表示する対象の静止画像から特徴領域を検出する領域検出手段と、前記領域検出手段により複数の特徴領域が検出された静止画像について、一方の特徴領域を含む所定サイズの矩形領域を切り出して表示した状態から、他方の特徴領域を含む前記所定サイズの矩形領域を切り出して表示した状態に変化する特殊効果であって、切り出す矩形領域を前記一方の特徴領域と前記他方の特徴領域とを通る直線上を連続的に移動させる特殊効果を用いるように決定する決定手段と、前記決定手段により決定された特殊効果を用いて前記複数の特徴領域が検出された静止画像を表示する表示手段とを備え、前記決定手段は、前記一方の特徴領域と前記他方の特徴領域との間の距離に基づいて、前記切り出す矩形領域のサイズを決定する。
また、本発明の画像表示装置は、複数の静止画像のそれぞれに特殊効果をつけて、該それぞれの静止画像を時系列的に変化させて、順番にスライドショー表示する画像表示装置であって、前記スライドショー表示する対象の静止画像から特徴領域を検出する領域検出手段と、前記領域検出手段により複数の特徴領域が検出された静止画像について、一方の特徴領域を含む所定サイズの矩形領域を切り出して表示した状態から、他方の特徴領域を含む前記所定サイズの矩形領域を切り出して表示した状態に変化する特殊効果であって、切り出す矩形領域を前記一方の特徴領域と前記他方の特徴領域とを通る直線上を連続的に移動させる特殊効果を用いるように決定する決定手段と、前記決定手段により決定された特殊効果を用いて前記静止画像を表示する表示手段とを備え、前記表示手段は、前記切り出す矩形領域を前記一方の特徴領域と前記他方の特徴領域とを通る直線上を連続的に移動させる速度を、前記一方の特徴領域および前記他方の特徴領域近傍では遅く、それ以外では速くなるように制御する。
また、本発明の画像表示装置は、複数の静止画像のそれぞれに特殊効果をつけて、該それぞれの静止画像を時系列的に変化させて、順番にスライドショー表示する画像表示装置であって、前記スライドショー表示する対象の静止画像から特徴領域を検出する領域検出手段と、前記領域検出手段により複数の特徴領域が検出された静止画像について、一方の特徴領域を含む所定サイズの矩形領域を切り出して表示した状態から、他方の特徴領域を含む前記所定サイズの矩形領域を切り出して表示した状態に変化する特殊効果であって、切り出す矩形領域を前記一方の特徴領域と前記他方の特徴領域とを通る直線上を連続的に移動させる特殊効果を用いるように決定する決定手段と、前記決定手段により決定された特殊効果を用いて前記静止画像を表示する表示手段とを備え、前記表示手段は、前記切り出す矩形領域を前記一方の特徴領域と前記他方の特徴領域とを通る直線上を連続的に移動させる際、前記切り出す矩形領域のサイズを、前記一方の特徴領域および前記他方の特徴領域から遠くなるほど大きくなるように制御する。
【手続補正４】
【補正対象書類名】明細書
【補正対象項目名】００１４
【補正方法】削除
【補正の内容】